【手続補正書】
【提出日】平成22年8月10日(2010.8.10)
【手続補正１】
【補正対象書類名】特許請求の範囲
【補正対象項目名】全文
【補正方法】変更
【補正の内容】
【特許請求の範囲】
【請求項１】
アクティブマトリクス型の表示パネルの複数の信号線を駆動する信号線駆動回路に、表示データに基づく駆動信号を供給する表示制御回路であって、
前記表示データが複数フレーム毎に更新され、更新された前記表示データが該複数フレーム毎に書き込まれるメモリと、
前記メモリに書き込まれている前記表示データを前記複数フレームにおける１フレーム毎に複数回読み出し、前記信号線駆動回路に供給する制御手段と、
を具備し、
前記制御手段は、前記メモリへ更新された前記表示データが書き込まれた直後の少なくとも１フレームにおいて、前記メモリから読み出されたデータを補正した補正データを生成して、前記駆動信号として前記信号線駆動回路に供給する補正回路を備えることを特徴とする表示制御回路。
【請求項２】
前記補正データは、前記メモリから読み出された前記データに所定の補正量が加算された信号であることを特徴とする請求項１に記載の表示制御回路。
【請求項３】
前記制御手段は、前記メモリへ前記表示データが書き込まれた直後の少なくとも１フレームにおいて、前記メモリから読み出された前記データを、前記補正回路により補正して、前記補正データを生成するよう制御する制御回路を更に備えることを特徴とする請求項１に記載の表示制御回路。
【請求項４】
前記制御回路は、前記メモリへ前記表示データが書き込まれた直後の２フレームにおいて、前記メモリから読み出された前記データを前記補正回路により補正するよう制御することを特徴とする請求項３に記載の表示制御回路。
【請求項５】
前記補正データは、前記メモリから読み出された前記データに所定の補正量が加算された信号であり、
前記メモリへ前記表示データが書き込まれた直後から２フレーム目のフレームにおいて前記メモリから読み出された前記データに対する前記補正量は、前記メモリへ前記表示データが書き込まれた直後のフレームにおいて前記メモリから読み出された前記データに対する前記補正量より小さいことを特徴とする請求項４に記載の表示制御回路。
【請求項６】
前記制御回路は、前記補正回路において前記補正を行うか否かを制御する補正制御信号を出力し、
前記補正回路は、前記メモリから読み出された前記データと、前記補正制御信号の状態との組み合わせに応じて前記補正データを出力するルックアップテーブルを備えることを特徴とする請求項３乃至５のいずれかに記載の表示制御回路。
【請求項７】
アクティブマトリクス型の表示パネルの複数の信号線を駆動する信号線駆動回路に、表示データに基づく駆動信号を供給する表示制御回路の駆動方法であって、
前記表示データが複数フレーム毎に更新され、更新された前記表示データを該複数フレーム毎にメモリに書き込むステップと、
前記メモリに書き込まれている前記表示データを前記複数フレームにおける１フレーム毎に複数回読み出すステップと、
前記メモリへ更新された前記表示データが書き込まれた直後の少なくとも１フレームにおいて、前記メモリから読み出したデータを補正した補正データを生成して、前記駆動信号として前記信号線駆動回路に供給するステップと、
前記複数フレームの残りのフレームにおいて、前記メモリから読み出した前記データを、前記駆動信号として前記信号線駆動回路に供給するステップと、
を含むことを特徴とする表示制御回路の駆動方法。
【請求項８】
前記補正データの生成は、前記補正データを、前記メモリから読み出された前記データに所定の補正量を加算した信号とするステップを含むことを特徴とする請求項７に記載の表示制御回路の駆動方法。
【請求項９】
前記補正データを生成して前記信号線駆動回路に供給するステップは、前記メモリへ前記表示データが書き込まれた直後の２フレームにおいて、前記メモリから読み出した前記データを補正した前記補正データを生成するステップを含むことを特徴とする請求項７に記載の表示制御回路の駆動方法。
【請求項１０】
前記補正データを生成するステップは、前記２フレームの各フレームにおいて前記メモリから読み出されたそれぞれの前記データに、それぞれ異なる補正量を加算した信号を前記補正データとするステップを含み、
前記メモリへ前記表示データが書き込まれた直後から２フレーム目のフレームにおいて前記メモリから読み出された前記データに対する前記補正量は、前記メモリへ前記表示データが書き込まれた直後のフレームにおいて前記メモリから読み出された前記データに対する前記補正量より小さい値に設定されることを特徴とする請求項９に記載の表示制御回路の駆動方法。
【請求項１１】
複数の走査線及び複数の信号線の各交点に対応して表示画素が配列された表示パネルと、
前記液晶表示パネルの前記各走査線を順次選択する走査線駆動回路と、
前記液晶表示パネルの前記各信号線に、供給される駆動信号に応じた信号を出力する信号線駆動回路と、
表示データが複数フレーム毎に更新され、更新された前記表示データが該複数フレーム毎に書き込まれるメモリと、
前記メモリに書き込まれている前記表示データを前記複数フレームにおける１フレーム毎に複数回読み出し、前記信号線駆動回路に供給する制御手段と、
を具備し、
前記制御手段は、前記メモリへ更新された前記表示データが書き込まれた直後の少なくとも１フレームにおいて、前記メモリから読み出されたデータを補正した補正データを生成して、前記駆動信号として前記信号線駆動回路に供給する補正回路を備えることを特徴とする表示装置。
【請求項１２】
前記補正データは、前記メモリから読み出された前記データに所定の補正量が加算された信号であることを特徴とする請求項１１に記載の表示装置。
【請求項１３】
前記制御手段は、前記メモリへ前記表示データが書き込まれた直後の少なくとも１フレームにおいて、前記メモリから読み出された前記データを、前記補正回路により補正して、前記補正データを生成するよう制御する制御回路を更に備えることを特徴とする請求項１１に記載の表示装置。
【請求項１４】
前記制御回路は、前記メモリへ前記表示データが書き込まれた直後の２フレームにおいて、前記メモリから読み出された前記データを前記補正回路により補正するよう制御することを特徴とする請求項１３に記載の表示装置。
【請求項１５】
前記補正データは、前記メモリから読み出された前記データに所定の補正量が加算された信号であり、
前記メモリへ前記表示データが書き込まれた直後から２フレーム目のフレームにおいて前記メモリから読み出された前記データに対する前記補正量は、前記メモリへ前記表示データが書き込まれた直後のフレームにおいて前記メモリから読み出された前記データに対する前記補正量より小さいことを特徴とする請求項１４に記載の表示装置。
【請求項１６】
前記制御回路は、前記補正回路において前記補正を行うか否かを制御する補正制御信号を出力し、
前記補正回路は、前記メモリから読み出された前記データと、前記補正制御信号の状態との組み合わせに応じて前記補正データを出力するルックアップテーブルを備えることを特徴とする請求項１３乃至１５のいずれかに記載の表示装置。
【手続補正２】
【補正対象書類名】明細書
【補正対象項目名】０００４
【補正方法】変更
【補正の内容】
【０００４】
ところで、液晶モードとしては種々存在するが、近年、視野角特性が良好であることから“ＩＰＳ（In Plane Switching：横電界）モード”や“ＶＡ（Vertical Alignment：垂直配向）モード”と呼ばれる液晶モードが多く採用されている。これらは通常、画素にかかる電圧が大きい程、透過率が上がる（明るくなる）ノーマリブラックモードで駆動される。このようなノーマリブラックモードで駆動される液晶表示装置では、特に黒表示データから中間調へデータが切り替わった際の応答速度が比較的遅いことが知られている。
【手続補正３】
【補正対象書類名】明細書
【補正対象項目名】００１８
【補正方法】変更
【補正の内容】
【００１８】
請求項１に記載の表示制御回路は、アクティブマトリクス型の表示パネルの複数の信号線を駆動する信号線駆動回路に、表示データに基づく駆動信号を供給する表示制御回路であって、前記表示データが複数フレーム毎に更新され、更新された前記表示データが該複数フレーム毎に書き込まれるメモリと、前記メモリに書き込まれている前記表示データを前記複数フレームにおける１フレーム毎に複数回読み出し、前記信号線駆動回路に供給する制御手段と、を具備し、前記制御手段は、前記メモリへ更新された前記表示データが書き込まれた直後の少なくとも１フレームにおいて、前記メモリから読み出されたデータを補正した補正データを生成して、前記駆動信号として前記信号線駆動回路に供給する補正回路を備えることを特徴とする。  
請求項２に記載の表示制御回路は、請求項１に記載の表示制御回路において、前記補正データは、前記メモリから読み出された前記データに所定の補正量が加算された信号であることを特徴とする。  
請求項３に記載の表示制御回路は、請求項１に記載の表示制御回路において、前記制御手段は、前記メモリへ前記表示データが書き込まれた直後の少なくとも１フレームにおいて、前記メモリから読み出された前記データを、前記補正回路により補正して、前記補正データを生成するよう制御する制御回路を更に備えることを特徴とする。  
請求項４に記載の表示制御回路は、請求項３に記載の表示制御回路において、前記制御回路は、前記メモリへ前記表示データが書き込まれた直後の２フレームにおいて、前記メモリから読み出された前記データを前記補正回路により補正するよう制御することを特徴とする。  
請求項５に記載の表示制御回路は、請求項４に記載の表示制御回路において、前記補正データは、前記メモリから読み出された前記データに所定の補正量が加算された信号であり、
前記メモリへ前記表示データが書き込まれた直後から２フレーム目のフレームにおいて前記メモリから読み出された前記データに対する前記補正量は、前記メモリへ前記表示データが書き込まれた直後のフレームにおいて前記メモリから読み出された前記データに対する前記補正量より小さいことを特徴とする。  
請求項６に記載の表示制御回路は、請求項３乃至５のいずれかに記載の表示制御回路において、前記制御回路は、前記補正回路において前記補正を行うか否かを制御する補正制御信号を出力し、前記補正回路は、前記メモリから読み出された前記データと、前記補正制御信号の状態との組み合わせに応じて前記補正データを出力するルックアップテーブルを備えることを特徴とする。  
請求項７に記載の表示制御回路の駆動方法は、アクティブマトリクス型の表示パネルの複数の信号線を駆動する信号線駆動回路に、表示データに基づく駆動信号を供給する表示制御回路の駆動方法であって、前記表示データが複数フレーム毎に更新され、更新された前記表示データを該複数フレーム毎にメモリに書き込むステップと、前記メモリに書き込まれている前記表示データを前記複数フレームにおける１フレーム毎に複数回読み出すステップと、前記メモリへ更新された前記表示データが書き込まれた直後の少なくとも１フレームにおいて、前記メモリから読み出したデータを補正した補正データを生成して、前記駆動信号として前記信号線駆動回路に供給するステップと、前記複数フレームの残りのフレームにおいて、前記メモリから読み出した前記データを、前記駆動信号として前記信号線駆動回路に供給するステップと、を含むことを特徴とする。  
請求項８に記載の表示制御回路の駆動方法は、請求項７に記載の表示制御回路の駆動方法において、前記補正データの生成は、前記補正データを、前記メモリから読み出された前記データに所定の補正量を加算した信号とするステップを含むことを特徴とする。  
請求項９に記載の表示制御回路の駆動方法は、請求項７に記載の表示制御回路の駆動方法において、前記補正データを生成して前記信号線駆動回路に供給するステップは、前記メモリへ前記表示データが書き込まれた直後の２フレームにおいて、前記メモリから読み出した前記データを補正した前記補正データを生成するステップを含むことを特徴とする。  
請求項１０に記載の表示制御回路の駆動方法は、請求項９に記載の表示制御回路の駆動方法において、前記補正データを生成するステップは、前記２フレームの各フレームにおいて前記メモリから読み出されたそれぞれの前記データに、それぞれ異なる補正量を加算した信号を前記補正データとするステップを含み、前記メモリへ前記表示データが書き込まれた直後から２フレーム目のフレームにおいて前記メモリから読み出された前記データに対する前記補正量は、前記メモリへ前記表示データが書き込まれた直後のフレームにおいて前記メモリから読み出された前記データに対する前記補正量より小さい値に設定されることを特徴とする。  
請求項１１に記載の表示装置は、複数の走査線及び複数の信号線の各交点に対応して表示画素が配列された表示パネルと、前記液晶表示パネルの前記各走査線を順次選択する走査線駆動回路と、前記液晶表示パネルの前記各信号線に、供給される駆動信号に応じた信号を出力する信号線駆動回路と、表示データが複数フレーム毎に更新され、更新された前記表示データが該複数フレーム毎に書き込まれるメモリと、前記メモリに書き込まれている前記表示データを前記複数フレームにおける１フレーム毎に複数回読み出し、前記信号線駆動回路に供給する制御手段と、を具備し、前記制御手段は、前記メモリへ更新された前記表示データが書き込まれた直後の少なくとも１フレームにおいて、前記メモリから読み出されたデータを補正した補正データを生成して、前記駆動信号として前記信号線駆動回路に供給する補正回路を備えることを特徴とする。  
請求項１２に記載の表示装置は、請求項１１に記載の表示装置において、前記補正データは、前記メモリから読み出された前記データに所定の補正量が加算された信号であることを特徴とする。  
請求項１３に記載の表示装置は、請求項１１に記載の表示装置において、前記制御手段は、前記メモリへ前記表示データが書き込まれた直後の少なくとも１フレームにおいて、前記メモリから読み出された前記データを、前記補正回路により補正して、前記補正データを生成するよう制御する制御回路を更に備えることを特徴とする。  
請求項１４に記載の表示装置は、請求項１３に記載の表示装置において、前記制御回路は、前記メモリへ前記表示データが書き込まれた直後の２フレームにおいて、前記メモリから読み出された前記データを前記補正回路により補正するよう制御することを特徴とする。  
請求項１５に記載の表示装置は、請求項１４に記載の表示装置において、前記補正データは、前記メモリから読み出された前記データに所定の補正量が加算された信号であり、前記メモリへ前記表示データが書き込まれた直後から２フレーム目のフレームにおいて前記メモリから読み出された前記データに対する前記補正量は、前記メモリへ前記表示データが書き込まれた直後のフレームにおいて前記メモリから読み出された前記データに対する前記補正量より小さいことを特徴とする。  
請求項１６に記載の表示装置は、請求項１３乃至１５のいずれかに記載の表示装置において、前記制御回路は、前記補正回路において前記補正を行うか否かを制御する補正制御信号を出力し、前記補正回路は、前記メモリから読み出された前記データと、前記補正制御信号の状態との組み合わせに応じて前記補正データを出力するルックアップテーブルを備えることを特徴とする。
【手続補正４】
【補正対象書類名】明細書
【補正対象項目名】００２７
【補正方法】変更
【補正の内容】
【００２７】
また、データ補正回路２０２は、図１（Ｂ）に示すように、ＧＲＡＭ２２から読み出された６ビットのデータｄ５：ｄ０の６４階調と、前記補正制御信号ＨＯＳＥＩのローレベル（“０”），ハイレベル（“１”）との組み合わせによる１２８個のデータを格納するＬＵＴとして構成されている。なお、これは、６ビットで６４階調の表示を行う場合の例であり、表示データのビット数が異なる場合は、それに応じたデータ数となる。本実施形態では、データ補正回路２０２は、現フレームの表示データと前フレームの表示データを比較するものではなく、表示データとしては、ＧＲＡＭ２２から読み出されたデータｄ５：ｄ０を用いるものである。このため、ＣＰＵから供給される表示データＤ５：Ｄ０はＧＲＡＭ２２に転送される。なお、ＣＰＵからのデータ転送は、フレーム周波数とは無関係に、カメラや地上デジタル放送等におけるデータの変更速度に応じた１／１２秒毎に行われる。
【手続補正５】
【補正対象書類名】明細書
【補正対象項目名】００３４
【補正方法】変更
【補正の内容】
【００３４】
また、読み出しクロックＲＤをＧＲＡＭ２２に出力して、ＧＲＡＭ２２に書き込まれていたデータｄ５：ｄ０を読み出し、データ補正回路２０２を介してソースドライバ２５に出力し、ソースドライバ２５を介して液晶表示パネル１に書き込む（ステップＳ４）。ここで、前記ステップＳ２では前記補正制御信号ＨＯＳＥＩをローレベル（“０”）としているので、ＦＲＡＭ２２から読み出されたデータｄ５：ｄ０が補正されることなく、そのままソースドライバ２５に出力されることとなる。なお、動作開始時には、それ以前にＧＲＡＭ２２には前記ＣＰＵからのデータは書き込まれていないため、そのままでは読み出されるデータｄ５：ｄ０は不定となり、画素毎にデータ値がバラバラになり見苦しい状態となる可能性があるため、初期設定として、例えば“０”等の同一の任意のデータをＧＲＡＭ２２に予め書き込んでおくことが好ましい。図３の例では、Ａ＝“０”としており、黒表示データに対応した電圧Ｖ０が液晶表示パネル１の対応する画素に印加される。なお、このとき、図３に示すように、前記ＣＰＵからＧＲＡＭ２２にデータＤ５：Ｄ０が転送されてきているが、ＧＲＡＭ２２からは、書き込み中のデータは読み出されず、それ以前に書き込まれていたデータが読み出される。また、前記ＣＰＵからＧＲＡＭ２２へのデータＤ５：Ｄ０の転送が１フレーム期間内に行われるとしたが、これに限らず、ＧＲＡＭ２２からデータｄ５：ｄ０が読み出される複数のフレーム期間内に次のデータＤ５：Ｄ０を書き込むものであればよい。
【手続補正６】
【補正対象書類名】明細書
【補正対象項目名】００５０
【補正方法】変更
【補正の内容】
【００５０】
以上のように、本第１実施形態によれば、ＧＲＡＭ２２への表示データの１回の書き込みに対し、該ＧＲＡＭ２２に書き込まれている表示データに応じた電圧を複数回、液晶表示パネル１に印加するに当たり、それら複数回の内、ＧＲＡＭ２２への表示データの書き込み直後の１フレームを補正することで、より変化の大きい電圧が液晶表示パネル１に印加されるので、液晶の応答速度を改善することが可能となる。
【手続補正７】
【補正対象書類名】明細書
【補正対象項目名】００５３
【補正方法】変更
【補正の内容】
【００５３】
［第２実施形態］
本発明の第２実施形態に係る液晶表示装置の全体構成は、図１（Ａ）に示した第１実施形態に係る液晶表示装置のそれとほぼ同一である。従って、前記第１実施形態と異なる部分を説明する。
【手続補正８】
【補正対象書類名】明細書
【補正対象項目名】００７６
【補正方法】変更
【補正の内容】
【００７６】
ここで、内部カウンタｎのカウント値が“５”ではないと判別した場合、即ち、データ更新すべきフレームではないと判別した場合には、図５に示すように、前記補正制御信号ＨＯＳＥＩを“００”に戻す（ステップＳ２９）。
【手続補正９】
【補正対象書類名】明細書
【補正対象項目名】００８２
【補正方法】変更
【補正の内容】
【００８２】
以上のように、本第２実施形態によれば、前記第１実施形態と同様に、ＧＲＡＭ２２への表示データの１回の書き込みに対し、該ＧＲＡＭ２２に書き込まれている表示データに応じた電圧を複数回、液晶表示パネル１に印加するに当たり、それら複数回の内、ＧＲＡＭ２２への表示データの書き込み直後の２フレームを補正することで、より変化の大きい電圧が液晶表示パネル１に印加されるので、液晶の応答速度を改善することが可能となる。